(57)【要約】      （修正有）【課題】ＳＭＴアンテナを有する内蔵ワイヤレス周辺インターフェースカード。【解決手段】内蔵ワイヤレス周辺インターフェースカードは、携帯用コンピュータシステムに使用され、そのマザーボード上にインターフェースカードスロットを有する。内蔵ワイヤレス周辺インターフェースカードは、回路基板、周辺インターフェースカード主回路及びアンテナを備える。回路基板は、携帯用コンピュータシステムのマザーボード上のインターフェースカードスロットに挿入され、携帯用コンピュータシステムと電気的に接続される。周辺インターフェースカード主回路は、回路基板に搭載され、インターフェースカードスロットと電気的に接続される。アンテナは、回路基板上に平らに位置し、周辺インターフェースカード主回路と電気的に接続される。無線信号は、周辺インターフェースカード主回路で処理され、処理された無線信号は、インターフェースカードスロットを通じて、携帯用コンピュータシステムに転送される。【選択図】図２
0003130298.tif 000002
【実用新案登録請求の範囲】
【請求項１】
マザーボード上にインターフェースカードスロットを有する携帯用コンピュータシステムに使用される、内蔵ワイヤレス周辺インターフェースカードにおいて、
前記携帯用コンピュータシステムの前記マザーボード上の前記インターフェースカードスロットに挿入され、前記携帯用コンピュータシステムと電気的に接続される回路基板と、
前記回路基板に搭載され、前記インターフェースカードスロットと電気的に接続される周辺インターフェースカード主回路と、
前記回路基板上に平らに位置し、前記周辺インターフェースカード主回路と電気的に接続されるアンテナを備え、
無線信号は、前記周辺インターフェースカード主回路で処理され、処理された前記無線信号は、前記インターフェースカードスロットを通じて、前記携帯用コンピュータシステムに転送されることを特徴とする、内蔵ワイヤレス周辺インターフェースカード。
【請求項２】
前記回路基板は、小型ＰＣＩカード及びＰＣＩ高速小型カードの規格に準拠することを特徴とする、請求項１に記載の内蔵ワイヤレス周辺インターフェースカード。
【請求項３】
前記周辺インターフェースカード主回路は、無線ネットワークカードモジュール、無線テレビカードモジュール又は無線携帯電話モジュールであることを特徴とする、請求項１に記載の内蔵ワイヤレス周辺インターフェースカード。
【請求項４】
前記アンテナは、実装技術によって前記回路基板に搭載されることを特徴とする、請求項１に記載の内蔵ワイヤレス周辺インターフェースカード。
【請求項５】
前記アンテナは、チップアンテナであることを特徴とする、請求項４に記載の内蔵ワイヤレス周辺インターフェースカード。
【請求項６】
前記チップアンテナは、セラミックアンテナであることを特徴とする、請求項５に記載の内蔵ワイヤレス周辺インターフェースカード。
【請求項７】
前記アンテナは、前記回路基板の表面に、電気的な配線パターンとして形成されることを特徴とする、請求項１に記載の内蔵ワイヤレス周辺インターフェースカード。
【請求項８】
前記回路基板の前記表面は、前記回路基板の前面、後面又は端面であることを特徴とする、請求項７に記載の内蔵ワイヤレス周辺インターフェースカード。
【請求項９】
前記回路基板に電気的な配線パターンとして形成されたアンテナは、銅箔で作られることを特徴とする、請求項７に記載の内蔵ワイヤレス周辺インターフェースカード。
【請求項１０】
前記内蔵ワイヤレス周辺インターフェースカードは、前記インターフェースカードスロットに挿入時、完全に前記携帯用コンピュータシステムのケース内に位置することを特徴とする、請求項１に記載の内蔵ワイヤレス周辺インターフェースカード。
【考案の詳細な説明】
【技術分野】
【０００１】
本考案は、内蔵ワイヤレス周辺インターフェースカードに関するものであり、特に、携帯用コンピュータシステムに使用される内蔵ワイヤレス周辺インターフェースカードに関するものである。
【背景技術】
【０００２】
図１に、小型の周辺構成要素インターフェース（小型ＰＣＩ）カードの概略図を示す。小型ＰＣＩカードは、ノート型コンピュータに使用可能な拡張カードの一種である。一般的に、ノート型コンピュータ内のネットワークカード又はワイヤレスカードは、小型ＰＣＩカードの規格に準拠する。
【０００３】
小型ＰＣＩワイヤレス・ネットワークカードは、ノート型コンピュータ内部の小型ＰＣＩカードスロットに挿入される。通常、無線信号を受信・転送するために小型ＰＣＩワイヤレスカードで使用されるアンテナは、ノート型コンピュータのマザーボードには搭載されず、本体の一定の場所、例えば表示画面の左右両側に装着される。ノート型コンピュータに、内蔵アンテナがない場合、小型ＰＣＩカード１を、ケーブル１０１を通じてアンテナ１０に外部ワイヤー接続し、無線信号を受信・転送する必要がある。通常、小型ＰＣＩカード１は、二個のアンテナコネクタ１１及び１２を有する。図１に示すように、ケーブル１０１の一端は、アンテナコネクタ１１と連結され、ケーブル１０１の別端は、アンテナ１０に連結される。又は、小型ＰＣＩカード１は、アンテナコネクタ１２を通じて、内蔵アンテナ（図示せず）と連通する。
【０００４】
上述のように、アンテナコネクタ１１及び１２は、小型ＰＣＩカード１には不可欠な要素であり、通常、小型ＰＣＩカード１には、アンテナ１０がある。このような製品は、費用効率が高くない。さらに、ユーザーが、無線テレビモジュール又は無線携帯電話モジュールを有する、別の小型ＰＣＩカードを一つのノート型コンピュータにインストールしようと思うと、内蔵アンテナは、使用に適さず、不十分である。
【考案の開示】
【考案が解決しようとする課題】
【０００５】
上記の先行技術の不利点を考慮し、出願人は、全面的な経験及び研究を通じて、本考案に従い、内蔵ワイヤレス周辺インターフェースカードの改善のための、不断の努力をしてきた。
【課題を解決するための手段】
【０００６】
本考案の一形態に従い、マザーボードにインターフェースカードスロットを有する携帯用コンピュータシステムに使用される、内蔵ワイヤレス周辺インターフェースカードが提供される。内蔵ワイヤレスインターフェースカードは、回路基板、周辺インターフェースカード主回路及びアンテナを備える。回路基板は、携帯用コンピュータシステムのマザーボード上のインターフェースカードスロットに挿入され、携帯用コンピュータシステムと電気的に接続される。周辺インターフェースカード主回路は、回路基板に搭載され、インターフェースカードスロットと電気的に接続される。アンテナは、回路基板上に平らに位置し、周辺インターフェースカード主回路と電気的に接続される。無線信号は、周辺インターフェースカード主回路で処理され、処理された無線信号は、インターフェースカードスロットを通じて、携帯用コンピュータシステムに転送される。
【０００７】
実施例において、回路基板は、小型ＰＣＩカード又はＰＣＩ高速小型カードの規格に準拠する。
【０００８】
実施例において、周辺インターフェースカード主回路は、無線ネットワークカードモジュール、無線テレビカードモジュール、又は無線携帯電話モジュールである。
【０００９】
実施例において、アンテナは、実装技術によって、回路基板に搭載される。例えば、アンテナは、セラミックアンテナのようなチップアンテナである。
【００１０】
実施例において、アンテナは、回路基板の表面に電気的な配線パターンとして形成される。
【００１１】
実施例において、回路基板の表面は、回路基板の前面、後面又は端面である。
【００１２】
実施例において、回路基板の表面に電気的な配線パターンとして形成されたアンテナは、銅箔で作られている。
【００１３】
実施例において、内蔵ワイヤレス周辺インターフェースカードは、インターフェースカードスロットに挿入時、完全に携帯用コンピュータシステムのケース内に位置する。
【考案を実施するための最良の形態】
【００１４】
図２に、本考案の実施形態による、携帯用コンピュータシステムに適用される、内蔵ワイヤレス周辺インターフェースカードの概略図を示す。図２の内蔵ワイヤレス周辺インターフェースカードは、携帯用コンピュータシステムのマザーボードのインターフェースカードスロット２９に挿入可能である。インターフェースカードは、インターフェースカードスロット２９に挿入時、完全に携帯用コンピュータシステムのケース（図示せず）内に位置する。本実施例の内蔵ワイヤレス周辺インターフェースカードは、回路基板２０、周辺インターフェースカード主回路２１及びアンテナ２２を備える。
【００１５】
回路基板２０は、携帯用コンピュータシステムのマザーボードに搭載されるインターフェースカードスロット２９に対応するエッジコネクタ２０１を有する。エッジコネクタ２０１が、インターフェースカードスロット２９に挿入されると、回路基板２０は、携帯用コンピュータシステムと電気的に接続される。無線ネットワークカードモジュール、無線テレビカードモジュール又は無線携帯電話モジュールのような周辺インターフェースカード主回路２１は、回路基板２０に搭載され、インターフェースカードの操作制御に使用される。主回路２１の配置構成は、従来のワイヤレス周辺インターフェースカードで使用されるものと同様であるため、記述は省略する。
【００１６】
本考案の主な特徴に従って、アンテナ２２は、周辺インターフェースカード主回路２１に電気的に接続され、回路基板２０上に平らに位置する。アンテナ２２で受信された無線信号は、主回路２１に転送される。主回路２１は、無線信号に対し、処理された信号を出力するための関連処理操作を行う。処理された信号は、エッジコネクタ２０１及びインターフェースカードスロット２９と通じて、携帯用コンピュータシステムに転送される。
【００１７】
各図３（ａ）、３（ｂ）、３（ｃ）に、回路基板２０上に平らに位置されたアンテナ２２の三例を示す。図３（ａ）において、アンテナ３０は、実装技術（ＳＭＴ）によって回路基板２０に搭載され、以下ＳＭＴアンテナとする。典型的なＳＭＴアンテナは、セラミックアンテナのようなチップアンテナを有する。図３（ｂ）において、アンテナ３１は、電導体（例えば銅箔）で作られ、前面２０２又は回路基板２０の後面（図示せず）に、電気的な配線パターンとして形成される。図３（ｃ）は、導電体（例えば銅箔）で作られ、回路基板２０の端面２０３に電気的な配線パターンとして形成された、別のアンテナ３２を示す。しかしながら、当業者によって、多数の配置構成の変形例及び変更例、及び、実用新案の方法を保持しながら作られた配線パターンが、直ちに研究されることは容易に推測される。そこで、上記の開示は、下記の請求項の範囲内に限定される必要がある。アンテナ３０、３１及び３２は、回路基板２０に搭載される（すなわち、平らに位置する）ため、製造原価及びその容量が、縮小される。さらに、ワイヤレス周辺インターフェースカードを内蔵アンテナ又は外部アンテナにワイヤー接続する工程が省かれるため、ワイヤレス周辺インターフェースカードの取り付け過程が簡素化される。
【００１８】
本考案を、小型ＰＣＩカードを参照して示す。さらに、本考案は、図４に示すような高速転送インターフェースカード（例えばＰＣＩ高速小型カード）のような、別の内蔵ワイヤレス周辺インターフェースカードにも適用可能である。この実施例のＰＣＩ高速小型カードは、回路基板４０、エッジコネクタ４０１、周辺インターフェースカード主回路４１及びアンテナ４２を有する。アンテナ４２は、周辺インターフェースカード主回路４１と電気的に接続され、回路基板４０上に平らに位置する。同様に、アンテナ４２は、図３（ａ）、３（ｂ）又は３（ｃ）に示すのと同様の配置構成及び配線パターンを有する変形又は変更が可能である。
【００１９】
上記により、先行技術にあった問題は解決される。本考案によるＳＭＴアンテナを有する内蔵ワイヤレス周辺インターフェースカードを使用することにより、携帯用コンピュータシステムは、携帯性、保管利便性、組み立て利便性を保持しつつ、ネットワークに接続し、無線テレビ番組を表示し、及び／又は携帯電話サービスを提供することが可能になる。
【００２０】
本実用新案は、現在最も実用的と見なされる、実施形態の観点から説明されたが、本実用新案は、開示の実施例に限定されるものではない。反対に、広い解釈と一致する、添付の請求項の観念及び範囲に含まれる、多様な変形例及び同様の配置を対象としたものであり、そういった変形例及び同様の構造を全て網羅するものである。
【図面の簡単な説明】
【００２１】
以下に、本考案の背景技術及び最良の形態について、添付図面を参照し、実施例により説明する。
【図１】従来の小型周辺構成要素インターフェース（小型ＰＣＩ）カードを示した概略図である。
【図２】本考案の実施形態による、内蔵ワイヤレス周辺インターフェースカードの概略図である。
【図３（ａ）】本考案に従って、回路基板上に平らに位置されたアンテナの例を示した図である。
【図３（ｂ）】本考案に従って、回路基板上に平らに位置されたアンテナの例を示した図である。
【図３（ｃ）】本考案に従って、回路基板上に平らに位置されたアンテナの例を示した図である。
【図４】本考案によるＰＣＩ高速小型カードを示した概略図である。
【符号の説明】
【００２２】
１      小型ＰＣＩカード
１０    アンテナ
１１    アンテナコネクタ
１２    アンテナコネクタ
２０    回路基板
２１    周辺インターフェースカード主回路
２２    アンテナ
２９    インターフェースカードスロット
３０    アンテナ
３１    アンテナ
３２    アンテナ
４０    回路基板
４１    周辺インターフェースカード主回路
４２    アンテナ
１０１  ケーブル
２０１  エッジコネクタ
２０２  前面
２０３  端面
４０１  エッジコネクタ
【図１】
0003130298.tif 000003
【図２】
0003130298.tif 000004
【図３（ａ）】
0003130298.tif 000005
【図３（ｂ）】
0003130298.tif 000006
【図３（ｃ）】
0003130298.tif 000007
【図４】
0003130298.tif 000008